(57)【要約】      （修正有）【課題】複数のセンサを主パワー源から結合解除するようにし、利用可能なエネルギ源をセンサにパワー供給するのに使用することによってエネルギ効率を高める及び又はセンサの適応的パワー供給を可能にする。【解決手段】１つ以上の設備システムは、主パワー源に作動可能に接続される。設備は、複数のセンサを含む。複数のセンサは、設備データを獲得するように構成される。複数のエネルギハーベスタは、複数のセンサに作動可能に接続される。複数のエネルギハーベスタは、或る形態で受け取ったエネルギを別の形態のエネルギに変換する。複数のエネルギハーベスタは、複数のセンサにエネルギを供給する。複数のセンサは、複数のエネルギハーベスタにより供給されるエネルギのみによってパワー供給され、主パワー源から結合解除される。【選択図】図１
2018088802.tif 000002
【特許請求の範囲】
【請求項１】
設備であって、
主パワー源と、
前記主パワー源に作動可能に接続された１つ以上の設備システムと、
複数のセンサであって、設備データを獲得するように構成されている複数のセンサと、
或る形態で受け取ったエネルギを別の形態のエネルギに変換するように構成された複数のエネルギハーベスタであって、前記複数のセンサにエネルギを供給するように作動可能に接続された複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除される、
設備。
【請求項２】
１つ以上のプロセッサを更に含み、前記１つ以上のプロセッサが前記複数のセンサに対して作動可能に接続され、前記１つ以上のプロセッサが前記複数のエネルギハーベスタに作動可能に接続され、前記１つ以上のプロセッサは、
複数のセンサが獲得した設備データに基づいて、１つ以上の設備システムの１つ以上の制御に対する調整が必要かを決定し、かつ
１つ以上の設備システムの１つ以上の制御に対する調整が必要との決定に応答して、前記１つ以上の設備システムの１つ以上の制御を修正する、
ように構成されている、請求項１に記載の設備。
【請求項３】
前記１つ以上の設備システムの前記１つ以上の制御が、ＨＶＡＣシステムの制御設定、エネルギ貯蔵デバイスの制御設定、電気システムの制御設定、及び、１つ以上の設備システムの起動特性を含む、請求項２に記載の設備。
【請求項４】
前記１つ以上のプロセッサが、前記複数のエネルギハーベスタにより供給されるエネルギによって少なくとも部分的にパワー供給される、請求項２に記載の設備。
【請求項５】
前記設備が可動設備である、請求項１に記載の設備。
【請求項６】
前記複数のエネルギハーベスタが、前記設備のすべてのセンサにエネルギを供給するように作動可能に接続され、それにより、前記設備のすべてのセンサが前記主パワー源から結合解除される、請求項１に記載の設備。
【請求項７】
前記複数のエネルギハーベスタが第１の複数のエネルギハーベスタを含み、前記複数のセンサが第１のセンサを含み、前記第１の複数のエネルギハーベスタが前記第１のセンサに作動可能に接続され、更に、
１つ以上のエネルギ利用可能性センサと、
１つ以上のプロセッサであって、前記複数のセンサ、前記１つ以上のエネルギ利用可能性センサ及び前記複数のエネルギハーベスタに作動可能に接続され、
前記１つ以上のエネルギ利用可能性センサから受信したデータを用いて現在利用可能なエネルギ源を決定し、
決定された現在利用可能なエネルギ源に基づいて前記第１の複数のエネルギハーベスタのサブセットを選択し、かつ
前記第１の複数のエネルギハーベスタの選択されたサブセットを起動させる、
ように構成されている、１つ以上のプロセッサと、
を含む、請求項１に記載の設備。
【請求項８】
前記複数のエネルギハーベスタが第１の複数のエネルギハーベスタを含み、前記複数のセンサが第１のセンサを含み、前記第１の複数のエネルギハーベスタが前記第１のセンサに作動可能に接続され、
前記複数のエネルギハーベスタが第２の複数のエネルギハーベスタを含み、前記複数のセンサが更に第２のセンサを含み、前記第２の複数のエネルギハーベスタが前記第２のセンサに作動可能に接続され、
前記第１の複数のエネルギハーベスタは前記第２の複数のエネルギハーベスタと異なる、
請求項１に記載の設備。
【請求項９】
前記複数のエネルギハーベスタのうちの少なくともいくつかが前記設備の外部に位置設定される、請求項１に記載の設備。
【請求項１０】
前記複数のエネルギハーベスタのうちの少なくともいくつかが前記設備の内部に位置設定される、請求項１に記載の設備。
【請求項１１】
前記複数のエネルギハーベスタのうちの１つ以上が、前記１つ以上の設備システムのうちの少なくとも１つからエネルギを受け取るように作動可能に位置決めされる、請求項１０に記載の設備。
【請求項１２】
前記複数のエネルギハーベスタの１つ以上が、太陽エネルギ、摩擦電気エネルギ、圧電エネルギ、熱エネルギ、熱電エネルギ又は電磁エネルギのうちの１つを受け取るように構成されている、請求項１に記載の設備。
【請求項１３】
前記複数のエネルギハーベスタの１つ以上が、自然エネルギ源からエネルギを受け取るように構成されている、請求項１に記載の設備。
【請求項１４】
前記複数のエネルギハーベスタの少なくとも１つからエネルギを受け取るように作動可能に接続された１つ以上のエネルギ貯蔵デバイスを更に含む、請求項１に記載の設備。
【請求項１５】
システムであって、
可動設備と、
主パワー源と、
前記主パワー源に作動可能に接続された複数の設備システムと、
複数のセンサであって、設備データを獲得するように構成され、前記主パワー源から結合解除される、複数のセンサと、
前記複数のセンサに作動可能に接続された複数のエネルギハーベスタであって、或る形態で受け取ったエネルギを別の形態のエネルギに変換するように構成されている、複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除され、
前記システムが更に、
１つ以上のプロセッサであって、前記複数のセンサに作動可能に接続され、前記複数のエネルギハーベスタに作動可能に接続され、
前記複数のセンサから設備データを受信し、
受信した前記設備データに基づいて、前記複数の設備システムのうちの１つ以上の設備システムの１つ以上の制御に対する調整が必要かを決定し、かつ
前記複数の設備システムのうちの１つ以上の設備システムの１つ以上の制御に対する調整が必要との決定に応答して、前記１つ以上の制御を修正するように、
構成されている、１つ以上のプロセッサ、
を備える、システム。
【発明の詳細な説明】
【技術分野】
【０００１】
関連出願の相互参照
本出願は、２０１６年１１月１７日出願の米国仮特許出願第６２／４２３，３７８号の利益を主張し、この仮出願はその全体を参照することにより本開示に組み込まれている。
【０００２】
技術分野
本開示に記載の主題は、概して設備に関し、より詳細には設備の動作に関する。
【背景技術】
【０００３】
背景
製造プロセスにおいて、１つの製品を生産するため又はいくらかの結果を達成するために、一連の又は一続きのアクティビティを行なうことができる。各アクティビティは、特定のアクティビティの効率又は歩留に影響を及ぼすおそれのある、１つ以上のプロセス変数を有することができる。更に、１つのアクティビティの性能は、全体的プロセスにおける別のアクティビティの性能又は要件に影響を及ぼすおそれがある。したがって、いずれか１つのアクティビティにおけるいずれかの変数の値又は設定点の調整は、最終的製品の製造に影響を及ぼすおそれがある。
【発明の概要】
【０００４】
概要
一観点において、本開示は設備に関する。この設備は、主パワー源を含むことができる。この設備は１つ以上（１つ又はそれよりも多い）の設備システムを含むことができる。１つ以上の設備システムは、主パワー源に作動可能に接続され得る。設備は複数のセンサを含むことができる。複数のセンサは、設備データを獲得するように構成され得る。設備は複数のエネルギハーベスタを含むことができる。複数のエネルギハーベスタは、複数のセンサに作動可能に接続され得る。複数のエネルギハーベスタは、或る形態で受け取ったエネルギを別の形態のエネルギに変換するように構成され得る。複数のエネルギハーベスタは、複数のセンサにエネルギを供給するために作動可能に接続され得る。複数のセンサは、複数のエネルギハーベスタにより供給されるエネルギのみによってパワー供給され得る。その結果、複数のセンサを主パワー源から結合解除することができる。
【０００５】
別の観点において、本開示は、システムに関する。システムは、可動設備と、主パワー源と、複数の設備システムと、複数のセンサと、複数のエネルギハーベスタと、１つ以上のプロセッサと、を含むことができる。複数の設備システムは、主パワー源に作動可能に接続され得る。複数のセンサは、設備データを獲得するように構成され得る。複数のセンサは、主パワー源から結合解除され得る。複数のエネルギハーベスタは、複数のセンサに作動可能に接続され得る。複数のエネルギハーベスタは、或る形態で受け取ったエネルギを別の形態のエネルギへと変換するように構成され得る。複数のセンサは、複数のエネルギハーベスタにより供給されるエネルギのみによってパワー供給され得る。こうして、複数のセンサを主パワー源から結合解除することができる。１つ以上のプロセッサは、複数のセンサに作動可能に接続され得る。１つ以上のプロセッサは、複数のエネルギハーベスタに対して作動可能に接続され得る。１つ以上のプロセッサは、１つ以上のセンサから設備データを受信するように構成され得る。１つ以上のセンサは、受信した設備データに基づいて、複数の設備システムのうちの１つ以上の設備システムの１つ以上の制御に対する調整が必要かを決定するように構成され得る。１つ以上のセンサは、複数の設備システムのうちの１つ以上の設備システムの１つ以上の制御に対する調整が必要との決定に応答して、１つ以上の制御を修正するように構成され得る。
【図面の簡単な説明】
【０００６】
【図１】設備のためのシステムの一例を示す図である。
【図２】一設備センサにエネルギを供給するために作動可能に接続された複数のエネルギハーベスタの一例を示す図である。
【図３】複数の設備センサにエネルギを供給するために作動可能に接続された一エネルギハーベスタの一例を示す図である。
【図４】設備を適応的に動作させる方法の一例を示す図である。
【図５】エネルギハーベスタを選択的に起動させる方法の一例を示す図である。
【発明を実施するための形態】
【０００７】
詳細な説明
本開示に記載の主題は、設備に関する。設備は、設備データを獲得するように構成された複数のセンサを含むことができる。設備は、複数のセンサに作動可能に接続された複数のエネルギハーベスタを含むことができる。複数のエネルギハーベスタは、或る形態で受け取ったエネルギを別の形態のエネルギ（例えば電気エネルギ）に変換するように構成され得る。複数のエネルギハーベスタは、複数のセンサにエネルギを供給するために作動可能に接続され得る。複数のセンサは複数のエネルギハーベスタにより供給されたエネルギのみによってパワー供給され得る。その結果、複数のセンサは、主パワー源から結合解除され得る。このような構成は、利用可能なエネルギ源をセンサにパワー供給するのに使用することによってエネルギ効率を高めることができ、かつ／又は、センサの適応的パワー供給を可能にすることができる。
【０００８】
本開示には、詳細な実施形態が開示されている。しかしながら、開示された実施形態は、単なる一例として意図されたものにすぎないということを理解すべきである。したがって、本開示に開示された特定の構造的及び機能的詳細は、限定的なものとして解釈されるべきではなく、特許請求の範囲のための単なる根拠として、及び、事実上適切に詳述されたあらゆる構造において本開示の態様をさまざまな形で利用するべく当業者に教示するための代表的根拠として、解釈されるべきである。更に、本開示で使用される用語及び句は、限定的ではなくむしろ、可能な実装の理解可能な説明を提供するように意図されている。さまざまな実施形態が図１から５に示されており、しかしこれらの実施形態は、例示された構造又は適用に限定されない。
【０００９】
例示の簡略性及び明確さを期して、該当する場合、対応する又は類似の要素を示すために、参照番号が異なる図のなかで繰り返し用いられていることが理解される。更に、本開示に記載の実施形態を完全に理解できるようにするために、多くの具体的な詳細が明示されている。しかしながら、当業者であれば、本開示に記載の実施形態がこれらの具体的詳細なしに実施可能であることを理解するものである。
【００１０】
図１を参照すると、システム１００の一例が示されている。システム１００は設備１０２を含む。「設備」なる用語は、１つ以上の具体的なアクティビティ又は機能を実施するために使用され、建築され、設立され、又は設置される、あらゆる構造（例えば建物、工場など）を意味する。設備１０２は、単にいくつかの可能性を挙げるだけでも、例えば商業、工業、災害救助、援助及び／又は人道目的、などのさまざまな目的のために使用可能である。１つ以上の構成において、設備１０２は、ハウジング１０４によって少なくとも部分的に画定され得る。
【００１１】
いくつかの構成において、設備１０２は、恒久的設備であり得る。「恒久的設備」とは、通常移動するように意図されていない構造のことである。恒久的設備の例には、建物又は製造工場が含まれる。いくつかの構成では、設備１０２は、可動設備であり得る。「可動設備」は、比較的移動可能であり、異なる環境の中で比較的容易に展開及び／もしくは解体可能であり、かつ／又は、一時的使用を意図した、構造である。可動設備の一例は、ポッド、トレーラ、又は、静止ビークル（車両、乗り物、ないし輸送機関）であり得る。可動設備は、災害救済地域内で政府事業体（例えば米連邦緊急事態管理局）により仮設住宅を提供するために展開される可能性がある。別の例として、設備は被災者に医療を提供するために展開される可能性がある。更なる例として、設備は、化学的及び生物学的作用物質の被害者を除染するために展開される可能性がある。
【００１２】
システム１００の考えられる要素のいくつかが図１に示されており、ここで説明する。システム１００は、１つ以上のプロセッサ１１０、１つ以上のデータ記憶部１２０、１つ以上の主パワー源１３０、１つ以上の設備システム１４０、設備センサシステム１５０、複数のエネルギハーベスタ１６０、１つ以上のエネルギ貯蔵デバイス１７６、及び、１つ以上の適応設備モジュール１８０を含むことができる。これらのさまざまな構成要素は、任意の好適な方法で互いに作動可能に接続され得る。本開示全体にわたり使用される「作動可能に接続される」なる用語は、直接的な物理的接触がない接続を含めた、直接的又は間接的接続を含み得る。
【００１３】
システム１００が、図１に示された又は本開示に記載された要素をすべて有する必要はない、ということが理解される。システム１００は、図１に示されたさまざまな要素の任意の組合せを有することができる。更に、システム１００は、図１に示された要素に追加した要素を有することができる。いくつかの構成において、システム１００は、図１に示された要素のうちの１つ以上を含まなくてもよい。更に、システム１００の要素は、長い距離だけ物理的に離隔されていてもよい。特定の要素は別個に定義されているけれども、要素又はその部分の各々又はいずれかが、ハードウェア及び／又はソフトウェアを介して他の形で組み合わされ又は分離されてもよい、ことを理解すべきである。システム１００のさまざまな要素を、設備１０２内に完全に格納してもよく、又は、複数のシステムもしくは場所の間で分散させることもできる。
【００１４】
システム１００のさまざまな構成要素は、１つ以上の通信ネットワークを通して通信可能な形でリンクされ得る。本開示で使用される「通信可能な形でリンクされる」なる用語は、通信チャネルもしくは経路又は別の構成要素もしくはシステムを通した、直接又は間接接続を含むことができる。「通信ネットワーク」は、或るソースから別のソースまでの情報の送信及び／又は受信を行なうように設計された１つ以上の構成要素を意味する。システム１００の１以上の要素は、好適な通信ソフトウェアを含みかつ／又は実行することができ、これにより、さまざまな要素が、通信ネットワークを通して互いに通信し本開示に開示された機能を行なうことができるようになる。
【００１５】
１つ以上の通信ネットワークは、広域ネットワーク（ＷＡＮ）、ローカルエリアネットワーク（ＬＡＮ）、公衆交換電話網（ＰＳＴＮ）、無線ネットワーク、移動体ネットワーク、仮想プライベートネットワーク（ＶＰＮ）、インターネット、及び／もしくは、１つ以上のイントラネットとして実装されるか又はこれらを含むことができ、これらに限定されない。通信ネットワークは更に、その通信距離の長短に関わらず、１つ以上の無線ネットワークとして実装されるか又はこれを含むことができる。例えば、短距離無線ネットワークの観点からみると、通信ネットワークは、Ｂｌｕｅｔｏｏｔｈ（登録商標）、又は、ＩＥＥＥ８０２無線通信プロトコル、例えば８０２．１１ａ／ｂ／ｇ／ｉ、８０２．１５、８０２．１６、８０２．２０、ＷｉＦｉプロテクテッドアクセス（ＷＰＡ）、もしくは、ＷＰＡ２、の１つを用いて構築される、ローカル無線ネットワークを含むことができる。長距離無線ネットワークの観点からみると、通信ネットワークは、移動体、セルラ、及び／又は、衛星型無線ネットワークを含むことができるとともに、音声、映像、テキスト及び／又はそれらの任意の組合せをサポートすることができる。長距離無線ネットワークの例としては、ＧＳＭ（登録商標）、ＴＤＭＡ、ＣＤＭＡ、ＷＣＤＭＡネットワークなどが含まれ得る。通信ネットワークは、有線通信リンク及び／又は無線通信リンクを含み得る。通信ネットワークは上述のネットワーク及び／又は他のタイプのネットワークの任意の組合せを含むことができる。通信ネットワークは、１つ以上のルータ、１つ以上のスイッチ、１つ以上のアクセスポイント、１つ以上の無線アクセスポイント、１つ以上の送信機、１つ以上の受信機、１つ以上の送受信機、などを含むことができる。
【００１６】
上述した通り、システム１００は、１つ以上のプロセッサ１１０を含むことができる。「プロセッサ」とは、本開示に記載されたプロセスのいずれかを実行するか、又は、このようなプロセスを実施しもしくは引き起こすためのあらゆる形態の命令を実行するように構成された、あらゆる構成要素又は構成要素群を意味する。プロセッサ（単数あるいは複数）１１０は、１つ以上の汎用プロセッサ、及び／又は、１つ以上の専用プロセッサで実装されてよい。好適なプロセッサの例には、マイクロプロセッサ、マイクロコントローラ、ＤＳＰプロセッサ、及びソフトウェアを実行できる他の回路が含まれる。好適なプロセッサの更なる例には、中央処理ユニット（ＣＰＵ）、アレイプロセッサ、ベクトルプロセッサ、デジタル信号プロセッサ（ＤＳＰ）、フィールドプログラマブルゲートアレイ（ＦＰＧＡ）、プログラマブル論理アレイ（ＰＬＡ）、特定用途向け集積回路（ＡＳＩＣ）、プログラマブル論理回路、及びコントローラが含まれ、これらに限定されない。プロセッサ（単数あるいは複数）１１０は、プログラムコード内に格納された命令を実施するように構成された少なくとも１つのハードウェア回路（例えば集積回路）を含むことができる。複数のプロセッサ１１０が存在する構成において、このようなプロセッサは互いに独立して作動することができ、又は、１つ以上のプロセッサは互いに組合わさって作動することができる。いくつかの構成において、プロセッサ（単数あるいは複数）１１０を、設備１０２に又はその内部に位置設定することができ、又は、プロセッサ（単数あるいは複数）１１０を設備１０２から離して位置設定することができる。
【００１７】
いくつかの構成において、１つ以上のプロセッサ１１０を、計算用ハブの一部とすることができる。また、このような計算用ハブは、無線送信機、受信機及び／又は送受信機などの他の構成要素を含むことができる。１つ以上のプロセッサ１１０及び／又は計算用ハブは、いくつかの構成において、少なくとも部分的に、主パワー源１３０によりパワー供給され得る。いくつかの構成において、１つ以上のプロセッサ１１０及び／又は計算用ハブは、完全に主パワー源１３０によりパワー供給され得る。
【００１８】
システム１００は、１つ以上のタイプのデータを記憶するための１つ以上のデータ記憶部１２０を含むことができる。データ記憶部１２０は、揮発性及び／又は非揮発性メモリを含むことができる。好適なデータ記憶部１２０の例には、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気的消去可能プログラマブル読取り専用メモリ）、レジスタ、磁気ディスク、光学ディスク、ハードドライブ、もしくは任意の他の好適な記憶媒体、又は、それらの任意の組合せが含まれる。データ記憶部（単数あるいは複数）１２０を、プロセッサ（単数あるいは複数）１１０の一構成要素とすることができ、又は、データ記憶部（単数あるいは複数）１２０を、プロセッサ（単数あるいは複数）１１０による使用のためにプロセッサ（単数あるいは複数）１１０に作動可能に接続することができる。
【００１９】
システム１００は、主パワー源１３０を含むことができる。主パワー源１３０は、設備１０２内の１つ以上の要素にパワーを供給するために作動可能に接続され得る。例えば、主パワー源１３０は、１つ以上の設備システム１４０、照明、機器、工具、計器、セキュリティシステム、暖房換気空調（ＨＶＡＣ）システムなどにパワーを供給するために作動可能に接続され得る。主パワー源１３０は、任意の好適なパワー源であり得る。例えば、主パワー源１３０は、１つ以上のジェネレータであり得る。別の例として、主パワー源１３０は、１つ以上の配電網（公共又は民間）、すなわち電気エネルギの消費者に電気エネルギを送出するための相互接続ネットワークであり得る。更に別の例として、主パワー源１３０は１つ以上のエネルギ貯蔵デバイス、例えば１つ以上のバッテリであり得る。
【００２０】
システム１００は、１つ以上の設備システム１４０を含むことができる。設備システム１４０は、設備１０２に関係するあらゆるものを含む。設備システム１４０は、設備１０２内部で発生するアクティビティ又は機能に、直接的に又は間接的に関係し得る。いくつかの事例において、設備システム１４０は、設備１０２の内部で発生するアクティビティ又は機能に無関係であり得る。設備システム１４０には、単にいくつかの可能性を挙げるだけでも、自動化された機器、工具、計器、デバイス、プロセス、材料、在庫、貯蔵庫、ワークフロー、エネルギ管理、電気システム、複合ロボットシステム、ＨＶＡＣシステム、並びに／又は、付随する設定、特性、及び／もしくは制御が含まれ得る。いくつかの非限定的な例示的設定には、機械流体流量、速度、温度、光強度、音響強度、振動強度及び／又はエネルギ消費量、が含まれる。
【００２１】
上述したように、システム１００は、複数の設備センサシステム１５０を含むことができる。設備センサシステム１５０は、１つ以上のセンサを含むことができる。「センサ」とは、何らかものを検出、決定、査定、監視、測定、定量化及び／又は検知することのできるあらゆるデバイス、構成要素及び／又はシステムを意味する。１つ以上のセンサは、リアルタイムで、検出、決定、査定、監視、測定、定量化及び／又は検知することができる。本開示で使用される「リアルタイム」なる用語は、特定のプロセスもしくは決定が行なわれるのに充分即時であるものとしてユーザもしくはシステムが検知する処理応答性のレベル、又はプロセッサが或る外部プロセスに遅れないことを可能にする処理応答性のレベルを意味する。
【００２２】
設備センサシステム１５０が複数のセンサを含んでいる構成において、センサは互いに独立して機能することができる。代替的には、２つ以上（２又はそれよりも多く）のセンサが互いに組合わさった形で機能することができる。このような場合、２つ以上のセンサは、１つのセンサネットワークを形成できる。設備センサシステム１５０及び／又は１つ以上のセンサは、システム１００のプロセッサ（単数あるいは複数）１１０、データ記憶部（単数あるいは複数）１２０、及び／又は他の要素（図１に示されている要素のいずれかを含む）に作動可能に接続され得る。設備センサシステム１５０は、システム１００の外部環境の少なくとも一部分のデータを獲得することができる。
【００２３】
設備センサシステム１５０は、任意の好適なタイプのセンサを含むことができる。異なるタイプのセンサのさまざまな例が、本開示で説明される。しかしながら、実施形態は説明される特定のセンサに限定されないということが理解される。
【００２４】
設備センサシステム１５０は、任意の好適なタイプのセンサを含むことができる。例えば、設備センサシステム１５０は、１つ以上の設備センサ１５２を含むことができる。１つ以上の設備センサ１５２は、設備１０２、設備システム１４０のうちの１つ以上、及び／又は、その性能についての情報、又は、その情報の部分を、直接的に又は間接的に検出、決定、査定、測定、定量化及び／又は検知するように構成され得る。設備センサ１５２は、現在公知の又は後日開発されるあらゆるタイプのセンサであり得る。別の例として、設備センサシステム１５０は、１つ以上のエネルギ利用可能性センサ１５４を含むことができる。１つ以上のエネルギ利用可能性センサ１５４は、エネルギ利用可能性センサ（単数あるいは複数）１５４の検出範囲内のエネルギ源についての情報を、直接的に又は間接的に検出、決定、査定、測定、定量化及び／又は検知するように構成され得る。１つ以上の構成において、１つ以上のエネルギ利用可能性センサ１５４のうちの少なくともいくつかは、設備１０２の内部に位置設定され得る。１つ以上の構成において、１つ以上のエネルギ利用可能性センサ１５４のうちの少なくともいくつかは、設備１０２の外部に位置設定され得る。エネルギ利用可能性センサ１５４は、現在公知であるか又は後日開発されるあらゆるタイプのセンサであり得る。
【００２５】
１つ以上の構成において、設備センサシステム１５０は、信号及びこれらが表わすデータを、１つ以上のプロセッサ１１０、又はプロセッサ１１０のうちの１つ以上を含む計算用ハブに無線で又は他の形で送信するように構成され得る。設備センサシステム１５０は、これらの信号及びそれらが表わすデータを、受信機及びコンピュータハブに無線で送信することができる。
【００２６】
システム１００は、複数のエネルギハーベスタ１６０を含むことができる。エネルギハーベスタ１６０は、エネルギを或る形態で受け取り、受け取ったエネルギを別の形態のエネルギに変換する能力を有する任意の構成要素又は構成要素群であり得る。１つ以上の構成において、エネルギハーベスタ１６０は、受け取ったエネルギを電気エネルギへと変換するように構成され得る任意の構成要素又は構成要素群であり得る。エネルギハーベスタ１６０は、単にいくつかの可能性を挙げるだけでも、光エネルギハーベスティングデバイス１６１、熱エネルギハーベスティングデバイス１６２、電磁エネルギハーベスティングデバイス１６３、圧電エネルギハーベスティングデバイス１６４、水力エネルギハーベスティングデバイス１６５、風力エネルギハーベスティングデバイス１６６、地熱エネルギハーベスティングデバイス１６７、及び／又は摩擦電気ハーベスティングデバイス１６８を含むことができる。
【００２７】
いくつかの事例において、振動エネルギをハーベスト（収穫ないし回収）するために、１つ以上の圧電エネルギハーベスティングデバイス１６４を使用することができる。例えば、１つ以上の設備システム１４０（又はその部分、態様もしくは構成要素）が振動又は熱を生成し得る。１つ以上の圧電エネルギハーベスティングデバイス１６４、１つ以上の摩擦電気ハーベスティングデバイス１６８、及び／又は、１つ以上の熱エネルギハーベスティングデバイス１６２を、このようなエネルギをハーベストするために作動可能に位置決めすることができる。風力エネルギハーベスティングデバイス１６６は、例えば、風力タービンであって、設備１０２の外部又は設備１０２の内部における、空気流の存在が公知の、疑われる、又は推定される場所に位置決めされる風力タービンを含む。代替的に又は付加的に、このような場所に、１つ以上の摩擦電気ハーベスティングデバイス１６８を使用することができる。光エネルギハーベスティングデバイス１６１は、光電池、パネルもしくはアレイ、フオトダイオード及び／又は光検出器を含むことができる。光エネルギハーベスティングデバイス１６１を、光エネルギをハーベストするために、設備の内部（例えば窓又は他の光源の近く）に作動可能に位置決めすることができる。代替的又は付加的に、光エネルギハーベスティングデバイス１６１を、光エネルギをハーベストするために、設備１０２の外部に位置設定することができる。
【００２８】
エネルギハーベスタ１６０は、任意の好適な源からエネルギを受け取ってもよい。１つ以上の構成において、エネルギハーベスタ１６０は、１つ以上の自然エネルギ源からエネルギを受け取ることができる。１つ以上の構成において、エネルギハーベスタ１６０は、１つ以上の人工のエネルギ源からエネルギを受け取ることができる。１つ以上の構成において、エネルギハーベスタ１６０は、設備１０２内部に位置設定された１つ以上の源からエネルギを受け取ることができる。１つ以上の構成において、エネルギハーベスタ１６０は、設備１０２の外部に位置設定された１つ以上の源からエネルギを受け取ることができる。当然のことながら、エネルギハーベスタ１６０は、上述のタイプ及び／又は種類のエネルギ源の任意の組合せから、エネルギを受け取ることができる。
【００２９】
エネルギハーベスタ１６０を、設備センサシステム１５０の少なくとも一部分にパワー供給するために使用することができる。１つ以上の構成において、エネルギハーベスタ１６０は、設備センサシステム１５０全体にパワー供給することができる。このようにして、設備センサシステム１５０全体を主パワー源１３０から結合解除することができる。
【００３０】
１つ以上の構成において、設備センサ１５２の少なくとも一部分にパワー供給するために、エネルギハーベスタ１６０を使用することができる。１つ以上の構成において、エネルギハーベスタ１６０を、設備センサ１５２の大部分（例えば少なくとも約６０％、少なくとも約６５％、少なくとも約７０％、少なくとも約７５％、少なくとも約８０％、少なくとも約８５％、少なくとも約９０％、少なくとも約９０％など）にパワー供給するために使用することができる。１つ以上の構成において、エネルギハーベスタ１６０を、設備センサ１５２のすべてにパワー供給するために使用することができる。このようにして、設備センサ１５２のすべてを、主パワー源１３０から結合解除することができる。このような構成は、少なくともいくつかの事例において、設備の迅速な移転を可能にすることができる。１つ以上の構成において、設備１０２の内部に位置設定された機器、機械などの中に組込まれていない及び／又はこれらの機器、機械などとともにパッケージ化されていない設備センサ１５２のすべてにパワー供給するために、エネルギハーベスタ１６０を使用することができる。１つ以上の構成において、エネルギハーベスタ１６０を、設備１０２内に位置設定されたスタンドアロンの設備センサ１５２（例えばデバイスを分離しかつ／又はそれらがどこに位置設定されていようとそこから容易に除去することのできるセンサ）のすべて又は少なくとも大部分にパワー供給するために使用することができる。
【００３１】
１つ以上の構成において、エネルギ利用可能性センサ１５４のうちの少なくともいくつかにパワー供給するために、エネルギハーベスタ１６０を使用することができる。１つ以上の構成において、エネルギハーベスタ１６０を、エネルギ利用可能性センサ１５４の大部分（例えば少なくとも約６０％、少なくとも約６５％、少なくとも約７０％、少なくとも約７５％、少なくとも約８０％、少なくとも約８５％、少なくとも約９０％、少なくとも約９０％など）にパワー供給するために使用することができる。１つ以上の構成において、エネルギハーベスタ１６０を、エネルギ利用可能性センサ１５４のすべてにパワー供給するために使用することができる。このようにして、エネルギ利用可能性センサ１５４のすべてを、主パワー源１３０から結合解除することができる。１つ以上の構成において、任意の付随の送信機、受信機及び／又は送受信機などの設備センサシステム１５０の他の態様にパワー供給するために、エネルギハーベスタ１６０を使用することができる。
【００３２】
設備センサシステム１５０と複数のエネルギハーベスタ１６０の間には、任意の好適な構成が存在し得る。例えば、図２を参照すると、１つの設備センサ１５２に作動可能に接続された複数のエネルギハーベスタ１６０が存在し得る。第１のエネルギハーベスタ１６０’及び第２のエネルギハーベスタ１６０’’が存在し得る。エネルギハーベスタ１６０nに至るまで追加のエネルギハーベスタ１６０が存在し得る。このような構成において、エネルギハーベスタ１６０’、１６０’’、１６０nのすべてを、設備センサ１５２にパワーを供給するように構成することができる。１つ以上の構成において、エネルギハーベスタ１６０’、１６０’’、１６０nの近傍に位置設定された１つ以上のエネルギ利用可能性センサ１５４が存在し得る。１つ以上の構成において、エネルギハーベスタ１６０’、１６０’’、１６０nをつねに起動しておくことができる。１つ以上の構成において、現在利用可能なエネルギ源に基づいて、エネルギハーベスタ１６０’、１６０’’、１６０nを選択的に起動させることができる。
【００３３】
図３は、１つのエネルギハーベスタ１６０と複数の設備センサ１５２との間の構成の一例を示す。この例において、第１の設備センサ１５２’及び第２の設備センサ１５２’’が存在し得るけれども、追加の設備センサ１５２も存在し得るということが理解される。エネルギハーベスタ１６０からのパワーを、実質的に均等に、不均等に、又は、個別のセンサ１５２’、１５２’’の現在のパワー供給ニーズに応じて可変的に、複数の設備センサ１５２’、１５２’’に供給することができる。
【００３４】
１つ以上の構成において、１つの設備センサ１５２に作動可能に接続された単一のエネルギハーベスタ１６０のみが存在し得る。このような場合、エネルギハーベスタ１６０は互いに同じであってもよく、又は、エネルギハーベスタ１６０は互いに異なっていてもよい。１つ以上の構成において、設備センサ１５２に対し作動可能に接続された複数のエネルギハーベスタ１６０が存在し得る。１つ以上の構成において、複数のエネルギハーベスタ１６０の各々は、別の複数のエネルギハーベスタ１６０と異なっていてもよい。例えば、各々の複数のエネルギハーベスタ１６０は、異なる数量及び／又は異なるタイプの組み合わせのエネルギハーベスタ１６０を含むことができる。
【００３５】
いくつかの構成において、複数のエネルギハーベスタ１６０は、ハーベストした電気エネルギをパワー管理システム１７０に提供することができる。１つ以上の構成において、パワー管理システム１７０は、例えば、１つ以上の整流器１７２、１つ以上のコンバータ１７４、及び／又は、１つ以上のエネルギ貯蔵デバイス１７６を含むことができる。エネルギ貯蔵デバイス（単数あるいは複数）１７６は、消費のための電気、機械又は熱エネルギを受け取る、貯蔵する、又は生成する能力をもつ任意の構成要素又は構成要素群であってよい。一実施形態において、エネルギ貯蔵デバイス（単数あるいは複数）１７６は、バッテリ、充電式バッテリ、コンデンサ、電気的に回転されるエネルギ貯蔵フライホイール、電気的に圧送される水力発電エネルギ貯蔵部、電気加熱式温水エネルギ貯蔵部、又は他のデバイスを含むことができる。１つ以上の構成において、エネルギ貯蔵デバイス（単数あるいは複数）１７６を、エネルギハーベスタ１６０から電気エネルギをさまざまな物理的形態で受け取り貯蔵するように構成することができる。
【００３６】
システム１００は、１つ以上のモジュールを含むことができ、そのうちの少なくともいくつかが本開示で説明される。モジュールを、プロセッサにより実行されたときに本開示に記載のさまざまなプロセスのうちの１つ以上を実装するコンピュータ可読プログラムコードとして実装することができる。モジュールのうちの１つ以上は、プロセッサ（単数あるいは複数）１１０の一構成要素であってよく、又は、モジュールのうちの１つ以上を、プロセッサ（単数あるいは複数）１１０が作動可能に接続される他の処理システム上で実行しかつ／もしくはこれらのシステム間で分散することができる。モジュールは、１つ以上のプロセッサ１１０により実行可能な命令（例えばプログラム論理）を含むことができる。代替的又は付加的に、１つ以上のデータ記憶部１２０が、このような命令を格納してもよい。
【００３７】
１つ以上の構成において、本開示に記載のモジュールのうちの１つ以上は、人工知能又は計算知能要素、例えばニューラルネットワーク、ファジー論理又は他の機械学習アルゴリズムを含むことができる。更に、１つ以上の構成において、モジュールのうちの１つ以上を、本開示に記載の複数のモジュール間に分散させることができる。１つ以上の構成において、本開示に記載のモジュールのうちの２つ又はそれによりも多くを組み合わせて単一のモジュールにすることができる。
【００３８】
システム１００は、１つ以上の適応設備モジュール１８０を含むことができる。適応設備モジュール（単数あるいは複数）１８０は、設備センサシステム１５０、並びに／又は、設備１０２に関する及び／もしくはエネルギ源の利用可能性に関する情報を捕捉するように構成された任意の他の構成要素もしくは構成要素群からデータを受け取ることができる。
【００３９】
適応設備モジュール（単数あるいは複数）１８０は、このようなデータをさまざまな目的のために使用することができる。例えば、１つ以上の構成において、適応設備モジュール（単数あるいは複数）１８０を、任意の好適な統計、分類及び／又は査定技術（単数あるいは複数）を用いてこのようなデータを解析するように構成することができる。適応設備モジュール（単数あるいは複数）１８０は、設備の正常な使用特性を学習するためにこのようなデータを解析することができる。１つ以上の設備システム１４０の１つ以上の制御に対する調整が必要か否かを、受信した設備データに基づいて決定するように、適応設備モジュール（単数あるいは複数）１８０を構成することができる。１つ以上の設備システム１４０の１つ以上の制御に対する調整が必要であるとの決定に応答して、適応設備モジュール（単数あるいは複数）１８０は、１つ以上の設備システムの１つ以上の制御を修正することができる。修正され得る制御の非限定的例は、ＨＶＡＣシステムの制御設定、エネルギ貯蔵システムの温度、速度もしくは流量などの制御設定、電気システムの制御設定、及び／又は、１つ以上の設備システムの起動特性を含むことができる。１つ以上の構成において、このような修正を自動的に実装するように適応設備モジュール（単数あるいは複数）１８０を構成することができる。
【００４０】
適応設備モジュール（単数あるいは複数）１８０は、直接的又は間接的に１つ以上の修正を設備システム１４０の１つ以上の制御に対して加えることができる。本開示で使用される「する、ないし、させる（ｃａｕｓｅ又はｃａｕｓｉｎｇ）」は、直接的又は間接的に、イベント又はアクションが発生するようにするか又は少なくともこのような事象もしくはアクションが発生し得る状態にし、強制し、強要し、指図し、指令し、命令し、かつ／又は、可能にすることを意味する。適応設備モジュール（単数あるいは複数）１８０は、さまざまな設備機能を実行することができ、かつ／又は、システム１００もしくはシステム１００の１つ以上のシステム（例えば設備システム１４０のうちの１つ以上）に対してデータを送信し、ここからデータを受信し、これと対話し、かつ／もしくは、これを制御することができる。
【００４１】
いくつかの事例において、適応設備モジュール（単数あるいは複数）１８０を、１つ以上のエネルギ利用可能性センサ１５４から受信したデータを解析するように構成することができる。例えば、１つ以上のエネルギ利用可能性センサから受信したデータを用いて現在利用可能なエネルギ源を決定するように適応設備モジュール（単数あるいは複数）１８０を構成することができる。決定された現在利用可能なエネルギ源に基づいて、第１の複数のエネルギハーベスタのサブセットを選択するように適応設備モジュール（単数あるいは複数）１８０を構成することができる。適応設備モジュール（単数あるいは複数）１８０を、第１の複数のエネルギハーベスタの選択されたサブセットを起動させるように構成することができる。
【００４２】
システム１００は、プロセッサ（単数あるいは複数）１１０及び／又は適応設備モジュール（単数あるいは複数）１８０からの信号又は他の入力の受信に応答して、設備システム１４０、その構成要素、特性、制御、パラメータ、及び／又はアスペクトのうちの１つ以上を修正し、調整しかつ／又は改変するための、１つ以上のアクチュエータ１９０を含むことができる。代替的又は付加的に、１つ以上のアクチュエータ１９０が、プロセッサ（単数あるいは複数）１１０及び／又は適応設備モジュール（単数あるいは複数）１８０からの信号又は他の入力の受信に応答して、設備１０２の１つ以上の構成要素、特性、制御、パラメータ及び／又はアスペクトを修正し、調整しかつ／又は改変することができる。１つ以上のアクチュエータ１９０は、単にいくつかの可能性を挙げるだけでも、モータ、空気圧式アクチュエータ、水圧ピストン、リレー、ソレノイド、及び／又は圧電アクチュエータを含むことができる。
【００４３】
システム１００の種々の潜在的なシステム、デバイス、要素及び／又は構成要素についてこれまで説明してきたが、以下では付随するさまざまな方法について説明する。ここで図４を参照すると、設備を適応的に動作させる方法４００の一例が示されている。このような方法の考えられるさまざまなステップについて、以下で説明する。図４に例示されている方法４００は、図１から３に関連して上述した構成に適用可能であり、しかしながら方法４００を他の好適なシステム及び構成で実施できるということが理解される。更に、方法４００は、ここに示されていない他のステップを含んでもよく、実際、方法４００は、示されたすべてのステップを含むことに限定されない。方法４００の一部としてここで例示されているブロックは、特定の時系列に限定されない。実際、ブロックのうちのいくつかは、示されているものとは異なる順序で行なわれてもよく、かつ／又は、示されているブロックのうちの少なくともいくつかは、同時に発生してもよい。
【００４４】
ブロック４１０では、設備１０２の少なくとも一部分及び／又は１つ以上の設備システムのデータを獲得することができる。設備データは設備センサシステム１５０によって、例えば１つ以上の設備センサ１５２によって獲得され得る。方法４００は、ブロック４２０へと続行し得る。
【００４５】
ブロック４２０では、１つ以上の設備システム１４０及び／又は設備１０２の１つ以上の制御に対する調整を、設備センサシステム１５０により獲得された設備データに基づいて決定することができる。この決定には、任意の好適なデータ解析が含まれ得る。決定は、システム１００の任意の好適な要素又は要素の組合せによって行なわれ得る。１つ以上の構成において、決定は、少なくとも部分的に、設備センサシステム１５０、プロセッサ（単数あるいは複数）１１０及び／又は適応設備モジュール（単数あるいは複数）１８０によって行なわれ得る。方法４００は、ブロック４３０へと続行し得る。
【００４６】
ブロック４３０では、１つ以上の設備システムの１つ以上の制御に対する調整が必要との決定に応答して、１つ以上の設備システムの１つ以上の制御が修正される。１つ以上の制御を、任意の好適な方法で実装することができる。１つ以上の構成において、プロセッサ（単数あるいは複数）１１０及び／又は適応設備モジュール（単数あるいは複数）１８０は、システム１００に、運転操作を実装させることができる。プロセッサ（単数あるいは複数）１１０及び／又は適応設備モジュール（単数あるいは複数）１８０を、１つ以上の制御を実装するために、設備システム１４０のうちの１つ以上に作動可能に接続することができる。１つ以上の構成において、プロセッサ（単数あるいは複数）１１０及び／又は適応設備モジュール（単数あるいは複数）１８０を、１つ以上のアクチュエータ１９０を制御するように作動可能にすることができ、これによって、１つ以上の設備システム１４０に１つ以上の制御を実装させることができる。１つ以上の設備システムの１つ以上の制御を修正させることは、自動的に行なうことができる、ということを指摘しておかなければならない。１つ以上の構成において、設備オペレータを、１つ以上の制御を修正する許可を与えるよう促すことができる。制御の修正を実装することへの設備オペレータの承認に対応する入力の受信に応答して、１つ以上の制御を修正することができる。
【００４７】
１つ以上の制御が修正されたときに、方法４００を終了することができる。代替的には、方法４００はブロック４１０又は或る他のブロックに戻ることもできる。さらなる代替案として、方法２００は追加の及び／又は代替的なブロック（図示せず）を含むことができる。
【００４８】
ここで図５を参照すると、エネルギハーベスタ１６０を選択的に起動させる方法５００の一例が示されている。この方法５００は、複数のエネルギハーベスタ１６０が１つの設備センサ１５２に対し作動可能に接続されている構成で実装可能である。複数のエネルギハーベスタ１６０を、互いに異ならせることができる。
【００４９】
方法５００のさまざまな考えられるステップについてここで説明する。図５で例示されている方法５００は、図１から３に関連して上述した構成に適用可能であり得るが、方法５００を他の好適なシステム及び構成で実施できることが理解される。その上、方法５００は、ここで示されていない他のステップを含んでいてもよく、実際、方法５００は、示されたすべてのステップを含むことに限定されない。方法５００の一部としてここに例示されているブロックは、特定の時系列に限定されない。実際、ブロックのいくつかは、示されているものとは異なる順序で行なわれてもよく、かつ／又は、示されているブロックのうちのいくつかは同時に発生してもよい。
【００５０】
ブロック５１０では、エネルギ利用可能性データを獲得することができる。データを、設備センサシステム１５０によって、より詳細には１つ以上のエネルギ利用可能性センサ１５４によって獲得することができる。データを、１つ以上のエネルギハーベスタ１６０が位置設定されている場所又はその近くにおいて獲得できる。方法５００はブロック５２０へと続行し得る。
【００５１】
ブロック５２０では、１つ以上のエネルギ利用可能性センサ１５４から受信したデータに基づいて現在利用可能なエネルギ源を決定することができる。現在利用可能なエネルギ源の決定を、システム１００の任意の好適な要素又は要素の組合せによって行なうことができる。１つ以上の構成において、現在利用可能なエネルギ源の決定を、少なくとも部分的に、設備センサシステム１５０、プロセッサ（単数あるいは複数）１１０、及び／又は適応設備モジュール（単数あるいは複数）１８０により行なうことができる。方法５００はブロック５３０へと続行し得る。
【００５２】
ブロック５３０では、決定された現在利用可能エネルギ源に基づいて、複数のエネルギハーベスタ１６０のサブセットを選択することができる。これに関連して、「サブセット」なる用語は、複数のエネルギハーベスタの全部よりも少ないことを意味する。このようなことは、任意の好適な方法で行なうことができる。例えば、選択は、あらかじめ定められた閾値を超えているエネルギを利用可能な供給源を含むことができる。別の例として、選択は、最大パワーを提供すると考えられる１つ（又は２つ）のエネルギ源を含むことができる。複数のエネルギハーベスタ１６０の選択は、システム１００の任意の好適な要素又は要素の組合せによって行なうことができる。１つ以上の構成において、選択は、少なくとも部分的に、設備センサシステム１５０、プロセッサ（単数あるいは複数）１１０及び／又は適応設備モジュール（単数あるいは複数）１８０により行なうことができる。方法５００はブロック５４０へと続行し得る。
【００５３】
ブロック５４０では、複数のエネルギハーベスタ１６０の選択されたサブセットを起動させることができる。このような起動は、オフないし停止状態から複数のエネルギハーベスタ１６０の選択されたサブセットを起動させることを含むことができる。代替的又は付加的に、このような起動は、複数のエネルギハーベスタの選択されたサブセットに含まれない１つ以上のエネルギハーベスタ１６０を停止又はオフにすることを含むことができる。複数のエネルギハーベスタ１６０の選択されたサブセットを、任意の好適な方法で起動することができる。１つ以上の構成において、プロセッサ（単数あるいは複数）１１０及び／又は適応設備モジュール（単数あるいは複数）１８０は、複数のエネルギハーベスタ１６０の選択されたサブセットを起動させることができる。プロセッサ（単数あるいは複数）１１０及び／又は適応設備モジュール（単数あるいは複数）１８０を、エネルギハーベスタ１６０の１つ以上に対して作動可能に接続することができる。１つ以上の構成において、プロセッサ（単数あるいは複数）１１０及び／又は適応設備モジュール（単数あるいは複数）１８０は、エネルギハーベスタ１６０の１つ以上を制御可能な１つ以上のアクチュエータ１９０を制御するように動作可能であり得る。複数のエネルギハーベスタ１６０の選択されたサブセットを起動させることを自動的に行なうことができること、又は、ユーザからの許可の受信に応答してこれを行なうことができること、を指摘しておかなければならない。
【００５４】
エネルギハーベスタ１６０の選択されたサブセットが起動された状態で、エネルギハーベスタ１６０はパワーを生成しそれを設備センサシステム１５０の１つ以上のセンサに供給することができる。方法５００は終了することができる。代替的には、方法５００はブロック５１０又は或る他のブロックまで戻ることができる。さらなる代替案として、方法５００は、追加の及び／又は代替的なブロック（図示せず）を含むことができる。
【００５５】
システム１００の動作、方法４００及び／又は方法５００の非限定的な例についてここで説明する。この特定の例において、ハリケーン又は地震の後といった被災地域が存在し得る。このような場合、重要である住宅、医療及び／又は他の支援を被災者に提供するために、可動のインテリジェント設備を展開する必要があるかもしれない。このような場合に、被災地域に１つ以上の可動インテリジェント設備を展開することが可能である。例えば、可動設備は、仮設住宅を提供するためのモジュラホーム又はコンパクトポッドであり得る。設備にパワーを供給しなければならないが、現状ではそれが困難な場合がある。本開示に記載の構成によると、パワーを主として可動ジェネレータ又は他の主パワー源によって設備に供給することができる。しかしながら、設備の上、内部、外部、下及び／又は近傍に分散したエネルギハーベスタによって、設備の部分（例えば１つ以上の設備センサ及び／又はエネルギ貯蔵デバイス）にパワー供給することが可能である。エネルギハーベスタは、他の利用可能な供給源が受け取ったエネルギから電気エネルギを生成することができる。システムは、他のエネルギ源の現在利用可能性に基づいてどのエネルギハーベスタが使用されるかを適応的に変動させるように構成され得る。他のエネルギ源の現在利用可能性を、連続的に、周期的に、不規則に、更には無作為に、監視することができる。適応設備モジュール１８０は次に、リアルタイムで、設備の特定のユーザのエネルギ消費挙動を学習して、システム１００全体の効率を最大にするために設備の日々の動作、例えばライフサポートシステムを自動的に調整するようにしてもよい。
【００５６】
本開示に記載の構成は、本開示で言及した利益のうちの１つ以上を含めた多くの利益を提供することができる、ということが理解される。例えば、設備の主パワー源ではなく多数のエネルギ源から設備センサシステムにパワー供給することによって、エネルギ効率を改善することができる。更に、本開示に記載の構成は、一時的に及び／又は遠隔の場所で展開される設備に対応するように融通性の高いものであり得る。本開示に記載の構成は、設備の迅速な展開及び／又は撤収を容易にすることができる。本開示に記載の構成は、設備にパワー供給するための利用可能なエネルギ源の活用を容易にし、それにより、利用可能なエネルギ源の使用を最適化することができる。本開示に記載の構成は、設備センサシステムにパワー供給するのに他のエネルギ源を使用することによって、設備の主パワー源に対する負荷を軽減することができる。
【００５７】
本開示で使用される「ａ」及び「ａｎ」なる用語は、１つ以上として定義される。本開示で使用される「複数（ｐｌｕｒａｌｉｔｙ）」なる用語は、２つ以上として定義される。本開示で使用される「別の（ａｎｏｔｈｅｒ）」なる用語は、少なくとも第２又はそれ以降のものとして定義される。本開示で使用される「含む（ｉｎｃｌｕｄｉｎｇ）」及び／又は「有する（ｈａｖｉｎｇ）」なる用語は、備える（ｃｏｍｐｒｉｓｉｎｇ）（すなわちオープンランゲージ）として定義される。本開示で使用される「．．．及び．．．のうちの少なくとも１つ（ａｔ  ｌｅａｓｔ  ｏｎｅ  ｏｆ．．．ａｎｄ．．．）」なる言い回しは、付随する列挙された項目のいずれか及びそれらのうちの１つ以上の項目の考えられるすべての組合せを意味する。一例として、「Ａ、Ｂ及びＣのうちの少なくとも１つ」なる言い回しは、Ａのみ、Ｂのみ、Ｃのみ又はそれらの任意の組合せ（例えばＡＢ、ＡＣ、ＢＣ又はＡＢＣ）を含む。
【００５８】
本開示の態様は、その精神又は本質的な属性から逸脱することなく、他の形態で実施され得る。したがって、本発明の範囲を標示するものとして、上述の明細書ではなくむしろ以下の特許請求の範囲を参照すべきである。
【００５９】
［例１］
設備であって、
主パワー源と、
前記主パワー源に作動可能に接続された１つ以上の設備システムと、
複数のセンサであって、設備データを獲得するように構成されている複数のセンサと、
或る形態で受け取ったエネルギを別の形態のエネルギに変換するように構成された複数のエネルギハーベスタであって、前記複数のセンサにエネルギを供給するように作動可能に接続された複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除される、
設備。
［例２］
１つ以上のプロセッサを更に含み、前記１つ以上のプロセッサが前記複数のセンサに対して作動可能に接続され、前記１つ以上のプロセッサが前記複数のエネルギハーベスタに作動可能に接続され、前記１つ以上のプロセッサは、
複数のセンサが獲得した設備データに基づいて、１つ以上の設備システムの１つ以上の制御に対する調整が必要かを決定し、かつ
１つ以上の設備システムの１つ以上の制御に対する調整が必要との決定に応答して、前記１つ以上の設備システムの１つ以上の制御を修正する、
ように構成されている、例１に記載の設備。
［例３］
前記１つ以上の設備システムの前記１つ以上の制御が、ＨＶＡＣシステムの制御設定、エネルギ貯蔵デバイスの制御設定、電気システムの制御設定、及び、１つ以上の設備システムの起動特性を含む、例２に記載の設備。
［例４］
前記複数のセンサが前記１つ以上のプロセッサに無線で作動可能に接続される、例２に記載の設備。
［例５］
前記１つ以上のプロセッサが、前記複数のエネルギハーベスタにより供給されるエネルギによって少なくとも部分的にパワー供給される、例２に記載の設備。
［例６］
前記１つ以上のプロセッサが前記設備から離れて位置設定される、例２に記載の設備。
［例７］
前記設備が固定設備である、例１に記載の設備。
［例８］
前記設備が可動設備である、例１に記載の設備。
［例９］
前記複数のエネルギハーベスタが、前記設備のすべてのセンサにエネルギを供給するように作動可能に接続され、それにより、前記設備のすべてのセンサが前記主パワー源から結合解除される、例１に記載の設備。
［例１０］
前記複数のエネルギハーベスタが第１の複数のエネルギハーベスタを含み、前記複数のセンサが第１のセンサを含み、前記第１の複数のエネルギハーベスタが前記第１のセンサに作動可能に接続される、例１に記載の設備。
［例１１］
更に、
１つ以上のエネルギ利用可能性センサと、
１つ以上のプロセッサであって、前記複数のセンサ、前記１つ以上のエネルギ利用可能性センサ及び前記複数のエネルギハーベスタに作動可能に接続され、
前記１つ以上のエネルギ利用可能性センサから受信したデータを用いて現在利用可能なエネルギ源を決定し、
決定された現在利用可能なエネルギ源に基づいて前記第１の複数のエネルギハーベスタのサブセットを選択し、かつ
前記第１の複数のエネルギハーベスタの選択されたサブセットを起動させる、
ように構成されている、１つ以上のプロセッサと、
を含む、例１０に記載の設備。
［例１２］
前記複数のエネルギハーベスタが第２の複数のエネルギハーベスタを含み、前記複数のセンサが更に第２のセンサを含み、前記第２の複数のエネルギハーベスタが前記第２のセンサに作動可能に接続され、前記第１の複数のエネルギハーベスタは前記第２の複数のエネルギハーベスタと異なる、例１０に記載の設備。
［例１３］
前記複数のエネルギハーベスタのうちの少なくともいくつかが前記設備の外部に位置設定される、例１に記載の設備。
［例１４］
前記複数のエネルギハーベスタのうちの少なくともいくつかが前記設備の内部に位置設定される、例１に記載の設備。
［例１５］
前記複数のエネルギハーベスタのうちの１つ以上が、前記１つ以上の設備システムのうちの少なくとも１つからエネルギを受け取るように作動可能に位置決めされる、例１４に記載の設備。
［例１６］
前記複数のエネルギハーベスタの１つ以上が、太陽エネルギ、摩擦電気エネルギ、圧電エネルギ、熱エネルギ、熱電エネルギ又は電磁エネルギのうちの１つを受け取るように構成されている、例１に記載の設備。
［例１７］
前記複数のエネルギハーベスタの１つ以上が、自然エネルギ源からエネルギを受け取るように構成されている、例１に記載の設備。
［例１８］
前記複数のエネルギハーベスタの１つ以上が、設備システムからエネルギを受け取るように構成されている、例１に記載の設備。
［例１９］
前記複数のエネルギハーベスタの少なくとも１つからエネルギを受け取るように作動可能に接続された１つ以上のエネルギ貯蔵デバイスを更に含む、例１に記載の設備。
［例２０］
システムであって、
可動設備と、
主パワー源と、
前記主パワー源に作動可能に接続された複数の設備システムと、
複数のセンサであって、設備データを獲得するように構成され、前記主パワー源から結合解除される、複数のセンサと、
前記複数のセンサに作動可能に接続された複数のエネルギハーベスタであって、或る形態で受け取ったエネルギを別の形態のエネルギに変換するように構成されている、複数のエネルギハーベスタと、
を備え、
前記複数のセンサが、前記複数のエネルギハーベスタにより供給されるエネルギのみによってパワー供給され、それにより、前記複数のセンサが前記主パワー源から結合解除され、
前記システムが更に、
１つ以上のプロセッサであって、前記複数のセンサに作動可能に接続され、前記複数のエネルギハーベスタに作動可能に接続され、
前記複数のセンサから設備データを受信し、
受信した前記設備データに基づいて、前記複数の設備システムのうちの１つ以上の設備システムの１つ以上の制御に対する調整が必要かを決定し、かつ
前記複数の設備システムのうちの１つ以上の設備システムの１つ以上の制御に対する調整が必要との決定に応答して、前記１つ以上の制御を修正するように、
構成されている、１つ以上のプロセッサ、
を備える、システム。
【図１】
2018088802.tif 000003
【図２】
2018088802.tif 000004
【図３】
2018088802.tif 000005
【図４】
2018088802.tif 000006
【図５】
2018088802.tif 000007
【外国語明細書】
2018088802000001.pdf